(57)【要約】【課題】確実に印刷が可能な領域をコンタクトガラスに表示することが可能な画像読取装置を提供する。【解決手段】コンタクトガラスに載置された原稿の画像を読み取る画像読取装置５０であって、読み取られた前記画像が印刷される用紙が積載される用紙トレイに積載されている用紙のサイズを取得する用紙サイズ取得部５８と、コンタクトガラスに取り付けられたコンタクトガラス表示部２２と、用紙サイズ取得部５８により取得された用紙のサイズに応じて印刷可能な領域をコンタクトガラス表示部２２に表示させる領域表示制御部６１とを備える。【選択図】図４
2008172337.tif 000002
【特許請求の範囲】
【請求項１】
コンタクトガラスに載置された原稿の画像を読み取る画像読取装置であって、
読み取られた前記画像が印刷される用紙が積載される用紙トレイに積載されている用紙のサイズを取得する用紙サイズ取得手段と、
前記コンタクトガラスに取り付けられ、光を透過する表示手段と、
前記用紙のサイズに応じて印刷可能な領域を前記表示手段に表示させる領域表示制御手段とを備える
ことを特徴とする画像読取装置。
【請求項２】
さらに、前記原稿の画像を拡大または縮小する倍率を取得する倍率取得手段を備え、
前記領域表示制御手段は、
前記倍率取得手段により取得された倍率で前記用紙サイズ取得手段により取得された用紙のサイズで印刷可能な領域を算出する領域算出部と、
前記領域算出部により算出された領域を前記表示手段に表示させる表示制御部とを有する
ことを特徴とする請求項１に記載の画像読取装置。
【請求項３】
さらに、原稿を押圧する開閉自在なカバーと、
前記カバーの開閉を判断する開閉判断手段とを備え、
前記表示制御部は、前記開閉判断手段により前記カバーが閉じていると判断された場合に、前記表示手段による表示を終了させる
ことを特徴とする請求項２に記載の画像読取装置。
【請求項４】
さらに、前記カバーが開けられると前記表示手段に自動表示させる自動表示モードと、前記カバーが開けられると前記表示手段に利用者により表示させる手動表示モードとのいずれかを示す表示モード情報を記憶している表示モード記憶手段を備え、
前記表示制御部は、前記開閉判断手段により前記カバーが開いていると判断された場合に、前記表示モード記憶手段が記憶している表示モードに従って、前記表示手段に表示させる
ことを特徴とする請求項３に記載の画像読取装置。
【請求項５】
プリンタと、
ファクシミリ通信手段と、
ネットワーク通信手段と、
コンタクトガラスに載置された原稿の画像を読み取るスキャナとを備えるネットワーク複合機であって、
前記プリンタにより印刷される用紙が積載させる用紙トレイと、
前記用紙トレイに積載されている用紙のサイズを取得する用紙サイズ取得手段と、
前記コンタクトガラスに取り付けられた表示手段と、
前記用紙のサイズに応じて印刷可能な領域を前記表示手段に表示させる領域表示制御手段とを備える
ことを特徴とするネットワーク複合機。
【発明の詳細な説明】
【技術分野】
【０００１】
本発明は、原稿の画像を読み取る装置に関し、特に、コンタクトガラス上に載置された原稿の画像を読み取る装置に関する。
【背景技術】
【０００２】
コンタクトガラス上に載置された原稿の文字や画像などを読み取る画像読取装置は、複写機などに利用されている。画像読取装置に原稿を読み取らせ、利用者が希望するサイズの複製を作成するには、例えば、原稿の一角をコンタクトガラスの一角に合わせるなど、原稿は所定の位置に正しく載置される必要がある。
【０００３】
正しい位置に載置されていない原稿の複写を作成すると、原稿の一部が欠けた複製が作成され、または、印刷される用紙のサイズが利用者が希望する用紙のサイズよりも大きくなることがある。また、不定形サイズの原稿を用紙の中央に印刷された複製を作成する場合など、利用者はコンタクトガラスのどこに原稿を配置すればよいか分からず、試行錯誤を繰り返すことになる。
【０００４】
従来、利用者に原稿の正しい載置位置をコンタクトガラス上に表示する技術が開示されている（例えば、特許文献１）。特許文献１に記載の技術は、ユーザが希望する用紙のサイズと原稿を拡大または縮小させる倍率とに応じて印刷可能領域を、コンタクトガラスに重ねられた液晶により表示させる。これにより、利用者はコンタクトガラスのどこに原稿を載置すればよいかがわかる。
【特許文献１】特開２００５−２４４７５５号公報
【発明の開示】
【発明が解決しようとする課題】
【０００５】
しかしながら、従来の画像読取装置は、印刷可能領域に原稿を正しく載置しても、利用者が希望するサイズの用紙が複写機に積載されていないために印刷できないことがあるという問題がある。
【０００６】
複写機などでは、用紙トレイなどに予め積載されている複数の用紙を利用することが多い。利用者が希望する用紙のサイズを入力し、それに応じた印刷可能領域に原稿を載置しても、用紙トレイに希望するサイズの用紙が積載されていない場合には、希望する用紙サイズへの印刷はできない。そのため、利用者は、再度、積載されている用紙の中から改めて希望する用紙のサイズを選択し入力するか、希望するサイズの用紙を用紙トレイにセットしなければならない。複写後に改めてこれらの作業を強いられる場合があることは、利用者にとって不便である。
【０００７】
本発明は、上記の問題を解決するためになされたもので、確実に印刷が可能な領域をコンタクトガラスに表示することが可能な画像読取装置の提供を目的とする。
【課題を解決するための手段】
【０００８】
上記目的を達成するために、本発明に係る画像読取装置は、コンタクトガラスに載置された原稿の画像を読み取る画像読取装置であって、読み取られた前記画像が印刷される用紙が積載される用紙トレイに積載されている用紙のサイズを取得する用紙サイズ取得手段と、前記コンタクトガラスに取り付けられ、光を透過する表示手段と、前記用紙のサイズに応じて印刷可能な領域を前記表示手段に表示させる領域表示制御手段とを備える。
【０００９】
このように、画像読取装置は、コンタクトガラスに取り付けられた表示手段に印刷可能領域を表示する。印刷可能領域は用紙トレイに積載されている用紙のサイズに応じた領域である。そのため、利用者が印刷可能領域内に原稿を載置すれば、確実に印刷ができる。したがって、確実に印刷が可能な領域をコンタクトガラスに表示することができる。
【００１０】
また、表示手段はコンタクトガラスに取り付けられるため、印刷可能領域がコンタクトガラス上に提示できる。したがって、利用者はコンタクトガラスのどこに原稿を載置すべきかを容易に認識することが可能になる。
【００１１】
さらに、表示手段は光を透過する。一般に、コンタクトガラスに載置された原稿の画像は、原稿に照射された光の反射によって読み取られる。表示手段が光を透過するため、上記の一般的な方法で原稿の画像を読み取ることが可能になる。
【００１２】
好ましくは、さらに、前記原稿の画像を拡大または縮小する倍率を取得する倍率取得手段を備え、前記領域表示制御手段は、前記倍率取得手段により取得された倍率で前記用紙サイズ取得手段により取得された用紙のサイズで印刷可能な領域を算出する領域算出部と、前記領域算出部により算出された領域を前記表示手段に表示させる表示制御部とを有する。
【００１３】
このように、用紙トレイに積載されている用紙に利用者が希望する倍率で印刷可能な領域を表示する。これにより、利用者が印刷可能領域内に原稿を載置すれば、希望する倍率で確実に印刷することが可能になる。
【００１４】
さらに好ましくは、さらに、原稿を押圧する開閉自在なカバーと、前記カバーの開閉を判断する開閉判断手段とを備え、前記表示制御部は、前記開閉判断手段により前記カバーが閉じていると判断された場合に、前記表示手段による表示を終了させる。
【００１５】
このように、カバーの開閉を検知して、カバーが閉じられると表示を終了する。表示手段はコンタクトガラスに取り付けられるため、印刷可能領域などを表示したままではその表示が画像の一部として読み取られてしまう。カバーが閉じられたときに表示を終了することにより、原稿に含まれる画像のみを読み取ることが可能になる。また、カバーの開閉を検知して自動的に表示を終了させるため、表示をさせたまま読み取ることなどの複写時の誤操作を軽減することが可能になる。
【００１６】
さらに好ましくは、さらに、前記カバーが開けられると前記表示手段に自動表示させる自動表示モードと、前記カバーが開けられると前記表示手段に利用者により表示させる手動表示モードとのいずれかを示す表示モード情報を記憶している表示モード記憶手段を備え、前記表示制御部は、前記開閉判断手段により前記カバーが開いていると判断された場合に、前記表示モード記憶手段が記憶している表示モードに従って、前記表示手段に表示させる。
【００１７】
このように、自動表示モードと手動表示モードとを表示モード記憶手段が記憶し、それに従ってコンタクトガラスに印刷可能領域を表示させる。利用者が所望する表示モードを示す表示モード情報を表示モード記憶手段に記憶させておくことにより、利用者の希望に合う表示とすることができ、利便性を向上させる。
【００１８】
なお、本発明は、このような手段を備える自動原稿読取装置として実現することができるだけでなく、このような自動原稿読取装置を備える複写機やネットワーク複合機として実現することもできる。
【発明の効果】
【００１９】
本発明によると、利用者はコンタクトガラスのどこに原稿を載置すべきかを容易に認識することが可能になる。そのため、複写ミスなどの無駄を軽減することが可能になる。
【発明を実施するための最良の形態】
【００２０】
以下に、図面を参照しながら、本発明に係る画像読取装置の実施の形態について説明する。本実施の形態では、本発明に係る画像読取装置がネットワーク複合機に備えられる場合を例に説明する。
【００２１】
図１は、本発明の一実施の形態に係る通信システムの構成を示す図である。本実施の形態の通信システムは、ネットワーク複合機により読み取られた原稿を含む電子データを、ネットワークを介して接続された端末やネットワーク複合機との間で送受信し、また、印刷用紙に印刷する。
【００２２】
本図に示す通信システムは、ネットワーク複合機１および２と、端末３および４とにより構成され、ネットワーク複合機１とネットワーク複合機２とはＰＳＴＮ（Ｐｕｂｌｉｃ  Ｓｗｉｔｃｈｅｄ  Ｔｅｌｅｐｈｏｎｅ  Ｎｅｔｗｏｒｋｓ：公衆電話回線網）５を介して接続され、ネットワーク複合機１と端末３と端末４とはＬＡＮ（Ｌｏｃａｌ  Ａｒｅａ  Ｎｅｔｗｏｒｋ）６を介して接続されている。
【００２３】
ネットワーク複合機１および２は、プリンタ、ファクシミリ、ＬＡＮ通信およびスキャナ機能を備える。また、端末３および４は、ＬＡＮ通信できるコンピュータなどである。
【００２４】
例えば、ネットワーク複合機１は、画像読取装置を備え、読み取った原稿を含む電子データを、ネットワーク複合機２にＰＳＴＮ５を介してファクシミリ送信し、また、端末３および４にＬＡＮ６を介して送信する。
【００２５】
図２は、ネットワーク複合機１のハードウェア構成の一例を示す図である。ネットワーク複合機１は、画像読取装置により読み取られた原稿のイメージを印刷用紙に印刷出力する装置の一例である。
【００２６】
ネットワーク複合機１は、ＣＰＵ（Ｃｅｎｔｒａｌ  Ｐｒｏｃｅｓｓｉｎｇ  Ｕｎｉｔ）１０と、ＲＯＭ（Ｒｅａｄ  Ｏｎｌｙ  Ｍｅｍｏｒｙ）１１と、ＲＡＭ（Ｒａｎｄｏｍ  Ａｃｃｅｓｓ  Ｍｅｍｏｒｙ）１２と、モデム１３と、ＮＣＵ（Ｎｅｔｗｏｒｋ  Ｃｏｎｔｒｏｌ  Ｕｎｉｔ）１４と、操作パネル１５と、ディスプレイ１６と、スキャナ１７と、プリンタ１８と、ＬＡＮＩ／Ｆ（ＬＡＮ  インターフェース）１９と、開閉センサ２０と、用紙サイズセンサ２１と、コンタクトガラス表示部２２とを備える。
【００２７】
ＣＰＵ１０は、ＲＯＭ１１に格納された制御プログラム１１ａを実行することにより、ネットワーク複合機１の全体を制御する。ＣＰＵ１０は、特徴的な処理として、後述する開閉センサ２０および用紙サイズセンサ２１からのデータに基づいて、コンタクトガラス表示部２２に原稿の印刷可能な領域を表示させる。
【００２８】
ＲＯＭ１１は、ＣＰＵ１０が実行する制御プログラム１１ａを保持する読み出し専用メモリである。
【００２９】
ＲＡＭ１２は、ＣＰＵ１０が制御プログラム１１ａを実行する際に用いられるワークデータ、及び操作パネル１５に入力された入力データを保持する読み書き可能なメモリである。
【００３０】
モデム１３は、ＲＡＭ１２に保持されたラインデータをファクシミリ信号に変調して送信し、また外部から受信されたファクシミリ信号をラインデータに復調する。モデム１３は、例えばＧ３規格に準拠したファックスモデムである。
【００３１】
ＮＣＵ１４は、モデム１３とＰＳＴＮ５との接続を制御する網制御装置である。
【００３２】
操作パネル１５は、利用者からの操作を受け付けるタッチパネルである。
【００３３】
ディスプレイ１６は、利用者への操作ガイドや、ネットワーク複合機１の動作状態を表示する表示装置であり、例えばＬＣＤ（Ｌｉｑｕｉｄ  Ｃｒｙｓｔａｌ  Ｄｉｓｐｌａｙ：液晶表示装置）である。
【００３４】
スキャナ１７は、画像を読み取る装置であり、ＲＯＭ１１に格納されているプログラムを実行するＣＰＵ１０の制御下で、原稿を読み取り、読み取った情報を電子データとして出力する。スキャナは、例えば、コンタクトガラス上に載置された原稿を読み取る装置である。スキャナは、さらに開閉自在なプラテンカバー（以下、「カバー」ともいう。）を備え、カバーはコンタクトガラス上に載置された原稿を押圧する。
【００３５】
プリンタ１８は、印刷装置であり、例えば、ＣＰＵ１０の画像処理により得られた各原稿を含む電子データを、ＣＰＵ１０の制御下で原稿イメージとして印刷出力する。
【００３６】
ＬＡＮＩ／Ｆ１９は、ネットワーク複合機１とＬＡＮ６とを接続する通信アダプタであり、例えば、ＣＰＵ１０の画像処理により得られた各原稿を含む電子データを、ＣＰＵ１０の制御下で端末３等へ送信する。
【００３７】
開閉センサ２０は、スキャナ１７のカバーの開閉状態を検知するセンサである。
【００３８】
図３は、カバーの開閉を説明するための図である。図３（ａ）は、ネットワーク複合機１のカバー２５が閉じた状態を示す。図３（ｂ）は、ネットワーク複合機１のカバー２５が開いた状態を示す。
【００３９】
図３（ｂ）に示すように、カバー２５が開くとコンタクトガラス２７が現れる。本図は、開閉センサ２０がコンタクトガラス２７の右奥に備えられる例である。開閉センサ２０は、例えば、カバー２５の開閉により上下動する突起と、その突起の上下を検知するセンサとにより実現される。
【００４０】
用紙サイズセンサ２１は、印刷される用紙を積載する用紙トレイに、現に積載されている用紙のサイズを検知するセンサである。例えば、用紙トレイ内の複数の位置に取り付けられた出没自在な複数の突起の状態を検知するセンサや、赤外線センサなどにより実現できる。
【００４１】
コンタクトガラス表示部２２は、コンタクトガラス２７に取り付けられ、情報の表示が可能で光を透過するシート状のフラットディスプレイである。このようなコンタクトガラス表示部２２は、コンタクトガラスの背面に取り付けられている。
【００４２】
コンタクトガラス２７の表面に載置された原稿の画像は、例えば、光源を備えるキャリッジが光を照射しながらコンタクトガラス２７の背面を走査し、コンタクトガラス２７の背面に備えられた光電変換素子が原稿からの反射光を受容することにより読み取られる。光を透過するコンタクトガラス表示部２２をコンタクトガラス２７に取り付けることにより照射光と反射光とは、コンタクトガラス表示部２２とコンタクトガラス２７とを透過することができる。したがって、コンタクトガラス表示部２２が原稿の画像を読み取る際の障害となることを防止することが可能になる。
【００４３】
なお、コンタクトガラス表示部２２は、コンタクトガラスの表面に取り付けられてもよい。
【００４４】
図４は、本発明に係るネットワーク複合機１の特徴的な機能構成を示すブロック図である。ネットワーク複合機１は、画像読取装置により読み取られた原稿のイメージを印刷用紙に印刷出力する。
【００４５】
ネットワーク複合機１は、操作パネル１５と、コンタクトガラス表示部２２と、開閉センサ２０と、用紙サイズセンサ２１と、制御部３０と、画像読取装置５０とを備える。
【００４６】
コンタクトガラス表示部２２と、開閉センサ２０と、用紙サイズセンサ２１とは、図２において同一の参照符号を付した部位と同じであり、ここでの説明は省略する。
【００４７】
操作パネル１５は、図２において同一の参照符号を付した部位と同じである。ここでは、操作パネル１５が備える表示切替ボタン１５ａと、表示モード切替ボタン１５ｂとについて説明する。
【００４８】
表示切替ボタン１５ａは、コンタクトガラス表示部２２に表示させるか否かを切り替えるボタンである。
【００４９】
表示モード切替ボタン１５ｂは、表示モードを切り替えるボタンである。
【００５０】
図５は、操作パネル１５の一例を示す図である。本図に示す操作パネル１５は、ディスプレイ１６と一体である。操作パネル１５が備えるボタンには、表示切替ボタン１５ａと、表示モード切替ボタン１５ｂと、キータッチの複数のボタン１５ｃと、パネルタッチキーの積載用紙サイズボタン１５ｄ、１５ｅ、１５ｆおよび１５ｇとが含まれる例を示す。
【００５１】
ここで、積載用紙サイズボタン１５ｄ、１５ｅ、１５ｆおよび１５ｇはタッチパネルの一例である。積載用紙サイズボタン１５ｄ、１５ｅ、１５ｆおよび１５ｇに表示されている各用紙トレイに対応付けられた用紙サイズには、用紙サイズセンサ２１により検知された用紙サイズが自動的に表示される。自動的に検知し表示されている用紙サイズを変更する場合、利用者は変更する用紙トレイに対応する積載用紙サイズボタン１５ｄ、１５ｅ、１５ｆまたは１５ｇの表示箇所を押し、ボタン１５ｃを利用して変更する。
【００５２】
図５では、例えば、積載用紙サイズボタン１５ｄは、用紙トレイの１つである用紙トレイ１に積載されている用紙がＡ４サイズで横方向であることを示す。これが誤りである場合など、利用者は積載用紙サイズボタン１５ｄを押し、ボタン１５ｃを利用して変更できる。
【００５３】
制御部３０は、操作パネル１５に入力された情報を取得し、取得した情報に基づいて画像読取装置５０を制御する。
【００５４】
画像読取装置５０は、コンタクトガラス２７に載置された原稿を読み取るために、コンタクトガラス２７に印刷が可能な領域を表示させる装置である。
【００５５】
画像読取装置５０は、表示モード記憶部５２と、複写倍率データ記憶部５４と、倍率取得部５６と、用紙サイズ取得部５８と、開閉判断部６０と、領域表示制御部６１とを備える。
【００５６】
表示モード記憶部５２は、印刷可能領域の表示モードとして、自動表示モードと手動表示モードとのいずれが設定されているかを記憶している。自動表示モードでは、カバー２５が開かれると、自動的にコンタクトガラス２７に印刷可能領域が表示される。また、手動表示モードでは、コンタクトガラス２７に印刷可能領域を表示させるか否かを利用者が手動で設定するモードである。
【００５７】
複写倍率データ記憶部５４は、原稿を印刷用紙に複写する際の倍率の設定である複写倍率データを記憶している。
【００５８】
表示モード記憶部５２および複写倍率データ記憶部５４は、例えば、ＲＡＭ１２により実現される。
【００５９】
倍率取得部５６は、複写倍率データを取得する。倍率取得部５６は、利用者が入力した操作パネル１５または複写倍率データ記憶部５４から、複写倍率データを取得する。
【００６０】
用紙サイズ取得部５８は、用紙トレイに積載されている用紙のサイズを用紙サイズセンサ２１から取得する。
【００６１】
開閉判断部６０は、カバー２５の開閉状態を開閉センサ２０からの出力により判断する。
【００６２】
領域表示制御部６１は、コンタクトガラス表示部２２の表示を制御する。
【００６３】
次に図を参照して、本実施の形態の画像読取装置５０を備えるネットワーク複合機１が実行する処理について説明する。
【００６４】
図６は、本実施の形態のネットワーク複合機１が実行する処理を示すフローチャートである。
【００６５】
開閉判断部６０は、開閉センサ２０からの出力に基づいて、カバー２５が開いているか否かを判断する（Ｓ１）。
【００６６】
カバー２５が開いていると判断された場合（Ｓ１でＹｅｓ）、領域表示制御部６１は、表示モード記憶部５２が記憶している表示モード情報を取得し、自動表示モードであるか否かを判断する（Ｓ２）。ここでの、表示モード情報は、取得時に設定されている表示モードを示す。
【００６７】
自動表示モードであると判断された場合（Ｓ２でＹｅｓ）、領域表示制御部６１は、自動的に、利用者が希望する印刷用紙のサイズに応じた印刷可能領域をコンタクトガラス表示部２２に表示させる（Ｓ３）。
【００６８】
また、手動表示モードであると判断された場合（Ｓ２でＮｏ）、領域表示制御部６１は、利用者の指示に従って、利用者が希望する印刷用紙のサイズに応じた印刷可能領域をコンタクトガラス表示部２２に表示させる（Ｓ４）。
【００６９】
また、カバー２５が開いていないと判断された場合（Ｓ１でＮｏ）、自動表示モードによる印刷可能領域の表示処理（Ｓ３）の後、および、手動表示モードによる印刷可能領域の表示処理（Ｓ４）の後に、制御部３０は表示モード切替ボタン１５ｂを利用者が押下したか否かにより、表示モードが切り替えられたか否かを判断する（Ｓ５）。
【００７０】
表示モード切替ボタン１５ｂが押下された場合、表示モードが切り替えられたと判断し（Ｓ５でＹｅｓ）、制御部３０は表示モード記憶部５２が記憶している表示モード情報を切り替えて格納する（Ｓ６）。すなわち、制御部３０は、表示モード記憶部５２が記憶している表示モード情報が自動表示モードである場合は手動表示モードを、手動表示モードである場合は自動表示モードを示す情報を表示モード記憶部５２に格納する。
【００７１】
表示モード切替ボタン１５ｂが押下されていないため、表示モードが切り替えられていないと判断した場合（Ｓ５でＮｏ）、および、表示モード格納処理（Ｓ６）の後、ネットワーク複合機１は利用者により電源が切られたか否かを判断し、電源が切られたと判断した場合（Ｓ７でＹｅｓ）、ネットワーク複合機１は処理を終了する。
【００７２】
電源が切られていないと判断した場合（Ｓ７でＮｏ）、ネットワーク複合機１はカバーの開閉判断処理（Ｓ１）を継続する。
【００７３】
図７は、図６に示す自動表示モード（Ｓ３）の詳細を示すフローチャートである。
【００７４】
用紙サイズ取得部５８は、用紙トレイに積載されている用紙のサイズを取得する（Ｓ１１）。
【００７５】
倍率取得部５６は、複写倍率データ記憶部５４から複写倍率データを取得する（Ｓ１２）。
【００７６】
領域算出部６４は、用紙サイズ取得処理（Ｓ１１）で取得した用紙サイズの用紙に、倍率取得処理（Ｓ１２）で取得した複写倍率データが示す倍率で印刷可能な領域を算出する（Ｓ１３）。
【００７７】
表示制御部６２は、印刷可能領域の算出処理（Ｓ１３）において算出された印刷可能領域をコンタクトガラス表示部２２に表示させる（Ｓ１４）。ここで、コンタクトガラス表示部２２での表示例について図を参照して説明する。
【００７８】
図８は、コンタクトガラス２７ａを通して利用者に提示されるコンタクトガラス表示部２２による表示の第１の例を示す図である。
【００７９】
本図は、倍率が「１００％」であり、用紙トレイに積載されている用紙のサイズおよび方向がＡ４縦、Ａ４横およびＢ５縦である場合の例を示す。これらの用紙サイズは、文字により表示されている。
【００８０】
印刷可能領域は、用紙トレイに積載されている用紙のサイズごとに、コンタクトガラス２７ａの左上隅と、コンタクトガラス表示部２２に表示されている３つの隅とにより形成される矩形領域である。本図は、例えば、「Ａ４横」の文字表示に最も近い隅を含む矩形領域内に原稿を載置するとＡ４サイズの用紙に複写されることを示す。
【００８１】
また、印刷可能領域のいずれかに原稿を載置するよう促すメッセージも併せて文字表示されている。
【００８２】
図９は、コンタクトガラス２７ｂを通して利用者に提示されるコンタクトガラス表示部２２による表示の第２の例を示す図である。
【００８３】
本図は、倍率が「７０％」であり、用紙トレイに積載されている用紙のサイズおよび方向がＡ４縦、Ａ４横およびＢ５縦である場合の例を示す。印刷可能領域は、図８と同様に、コンタクトガラス２７ｂの左上隅を含む４隅により形成される矩形領域である。
【００８４】
本図は、コンタクトガラス２７ｂのサイズがＡ３横サイズである場合の例である。本図は、例えば、「Ａ３→Ａ４」の文字表示に最も近い隅を含む矩形領域内に原稿を載置するとＡ４サイズの用紙に縮小して複写されることを示す。本図の矢印は、載置された原稿が縮小されることを示すイラストである。拡大の場合は、例えば、反対方向の矢印で表示される。
【００８５】
また、印刷可能領域のいずれかに原稿を載置するよう促すメッセージも併せて文字表示されている。
【００８６】
ここから、図７の説明に戻る。
【００８７】
倍率取得部５６は、操作パネル１５の操作により複写倍率が切り替えられたか否かを判断する（Ｓ１５）。
【００８８】
複写倍率が切り替えられたと判断した場合（Ｓ１５でＹｅｓ）、倍率取得部５６は、切り替え後の複写倍率を複写倍率データ記憶部５４に格納し、用紙サイズ取得部５８は用紙サイズ取得処理（Ｓ１１）を実行する。
【００８９】
複写倍率が切り替えられていないと判断した場合（Ｓ１５でＮｏ）、表示制御部６２は表示切替ボタン１５ａが押下されたか否かを判断する（Ｓ１６）。
【００９０】
表示切替ボタン１５ａが押下されたと判断された場合（Ｓ１６でＹｅｓ）、表示制御部６２はコンタクトガラス表示部２２による表示がされているか否かを判断する（Ｓ１７）。
【００９１】
コンタクトガラス表示部２２による表示がされていないと判断した場合（Ｓ１７でＮｏ）、用紙サイズ取得部５８は用紙サイズ取得処理（Ｓ１１）を実行する。
【００９２】
コンタクトガラス表示部２２による表示がされていると判断した場合（Ｓ１７でＹｅｓ）、表示制御部６２はコンタクトガラス表示部２２による表示を終了させる（Ｓ１８）。
【００９３】
表示切替ボタン１５ａが押下されていないと判断された場合（Ｓ１６でＮｏ）、または表示終了処理（Ｓ１８）の後、開閉判断部６０は、開閉センサ２０からの出力に基づいて、カバー２５が閉じているか否かを判断する（Ｓ１９）。
【００９４】
カバー２５が閉じていないと判断された場合（Ｓ１９でＮｏ）、表示制御部６２は表示切替ボタン１５ａが押下されたか否かを判断する（Ｓ１６）。
【００９５】
カバー２５が閉じていると判断された場合（Ｓ１９でＹｅｓ）、表示制御部６２はコンタクトガラス表示部２２による表示を終了させ（Ｓ２０）、処理を終了する。
【００９６】
このようにカバー２５が閉じられたことを検知して、自動的に表示制御部６２はコンタクトガラス表示部２２による表示を終了させる。上記のように原稿に光を照射し、その反射光を受容して原稿の画像を読み取る場合、コンタクトガラス表示部２２に表示されたままであれば、その表示をも画像の一部として読み取られてしまう。カバー２５が閉じられたときにコンタクトガラス表示部２２による表示を終了させることによって、読み取り時には原稿の画像のみを読み取ることができる。
【００９７】
また、自動的に表示を終了させるため、利用者はそれを意識する必要がない。そのため、表示させたままで読み取りを開始させてしまうことなどによる複写ミスを軽減することが可能になる。
【００９８】
図１０は、図６に示す手動表示モード（Ｓ４）の詳細を示すフローチャートである。
【００９９】
表示制御部６２は、表示切替ボタン１５ａが押下されたか否かを判断する（Ｓ２１）。
【０１００】
表示切替ボタン１５ａが押下されていないと判断した場合（Ｓ２１でＮｏ）、表示制御部６２は、表示切替ボタン１５ａの表示判断処理（Ｓ２１）を継続する。
【０１０１】
表示切替ボタン１５ａが押下されたと判断した場合（Ｓ２１でＹｅｓ）、表示制御部６２はコンタクトガラス表示部２２による表示がされているか否かを判断する（Ｓ２２）。
【０１０２】
コンタクトガラス表示部２２による表示がされていると判断した場合（Ｓ２２でＹｅｓ）、表示制御部６２はコンタクトガラス表示部２２による表示を終了させ（Ｓ２３）、表示切替ボタン１５ａの表示判断処理（Ｓ２１）を継続する。
【０１０３】
コンタクトガラス表示部２２による表示がされていないと判断した場合（Ｓ２２でＮｏ）、用紙サイズ取得部５８は、用紙トレイに積載されている用紙のサイズを取得する（Ｓ２４）。
【０１０４】
倍率取得部５６は、複写倍率データ記憶部５４から複写倍率データを取得する（Ｓ２５）。
【０１０５】
領域算出部６４は、用紙サイズ取得処理（Ｓ２４）で取得した用紙サイズの用紙に、倍率取得処理（Ｓ２５）で取得した複写倍率データが示す倍率で印刷可能な領域を算出する（Ｓ２６）。
【０１０６】
表示制御部６２は、印刷可能領域の算出処理（Ｓ２６）において算出された印刷可能領域をコンタクトガラス表示部２２に表示させる（Ｓ２７）。ここで、コンタクトガラス表示部２２での表示は、自動表示モードの場合と同様であり、コンタクトガラス表示部２２には、例えば図８または図９のように表示される。
【０１０７】
倍率取得部５６は、操作パネル１５の操作により複写倍率が切り替えられたか否かを判断する（Ｓ２８）。
【０１０８】
複写倍率が切り替えられたと判断した場合（Ｓ２８でＹｅｓ）、倍率取得部５６は、切り替え後の複写倍率を複写倍率データ記憶部５４に格納し、用紙サイズ取得部５８は用紙サイズ取得処理（Ｓ２４）を実行する。
【０１０９】
複写倍率が切り替えられていないと判断した場合（Ｓ２８でＮｏ）、開閉判断部６０は、開閉センサ２０からの出力に基づいて、カバー２５が閉じているか否かを判断する（Ｓ２９）。
【０１１０】
カバー２５が閉じていないと判断された場合（Ｓ２９でＮｏ）、表示制御部６２は表示切替ボタン１５ａが押下されたか否かを判断する（Ｓ２１）。
【０１１１】
カバー２５が閉じていると判断された場合（Ｓ２９でＹｅｓ）、表示制御部６２はコンタクトガラス表示部２２による表示を終了させ（Ｓ３０）、処理を終了する。
【０１１２】
このようにカバー２５が閉じられたことを検知して、自動的に表示制御部６２はコンタクトガラス表示部２２による表示を終了させる。そのため、図７を参照して説明した表示終了処理（Ｓ２０）と同様の効果が得られる。
【０１１３】
以上、本発明の実施の形態に係る画像読取装置について説明したが、本発明は、この実施の形態に限定されるものではない。
【０１１４】
例えば、実施の形態では画像読取装置５０を備えるネットワーク複合機１を例に説明したが、画像読取装置自体がネットワーク複合機が備える他の機能の一部を備えてもよい。例えば、画像読取装置５０が、操作パネル１５、スキャナ１７、開閉センサ２０、用紙サイズセンサ２１、制御部３０および用紙トレイなどの一部または全部を備えても良い。
【０１１５】
また例えば、実施の形態では、コンタクトガラス表示部２２に表示される印刷可能領域は、コンタクトガラス２７の左上隅と、コンタクトガラス表示部２２に表示されている３つの隅とにより形成される矩形領域であるとしたが、印刷可能領域の表示方法はこれに限られない。例えば、図１１に示すような方法であってもよい。
【０１１６】
図１１は、コンタクトガラス２７ｃを通して利用者に提示されるコンタクトガラス表示部２２による表示の第３の例を示す図である。
【０１１７】
本図は、倍率が「１００％」であり、用紙トレイに積載されている用紙のサイズおよび方向がＡ４縦、Ａ４横およびＢ５縦である場合の例を示す。これらの用紙サイズは、文字により表示されている。
【０１１８】
印刷可能領域は、用紙トレイに積載されている用紙のサイズごとに、コンタクトガラス２７ｃの上辺および左辺と、コンタクトガラス表示部２２に表示されている２つの直行線分とにより示される矩形領域である。本図は、例えば、「Ａ４横」の文字表示に最も近い隅を含む矩形領域内に原稿を載置するとＡ４サイズの用紙に複写されることを示す。
【０１１９】
また、印刷可能領域のいずれかに原稿を載置するよう促すメッセージも併せて文字表示されている。
【０１２０】
このような表示方法によっても、利用者は確実に印刷可能な領域をコンタクトガラスを見て判断することが可能である。
【産業上の利用可能性】
【０１２１】
本発明は、画像読取装置に適用でき、特に、複写機、複写機能を備えるネットワーク複合機等に適用できる。
【図面の簡単な説明】
【０１２２】
【図１】本発明の一実施の形態に係る通信システムの構成を示す図である。
【図２】ネットワーク複合機のハードウェア構成の一例を示す図である。
【図３】カバーの開閉を説明するための図である。
【図４】本発明に係るネットワーク複合機１の特徴的な機能構成を示すブロック図である。
【図５】操作パネルの一例を示す図である。
【図６】本実施の形態のネットワーク複合機が実行する処理を示すフローチャートである。
【図７】図６に示す自動表示モードＳ３の詳細を示すフローチャートである。
【図８】コンタクトガラスを通して利用者に提示されるコンタクトガラス表示部による表示の第１の例を示す図である。
【図９】コンタクトガラスを通して利用者に提示されるコンタクトガラス表示部による表示の第１の例を示す図である。
【図１０】図６に示す手動表示モードＳ４の詳細を示すフローチャートである。
【図１１】コンタクトガラスを通して利用者に提示されるコンタクトガラス表示部による表示の第３の例を示す図である。
【符号の説明】
【０１２３】
１、２  ネットワーク複合機
３、４  端末装置
５  ＰＳＴＮ
６  ＬＡＮ
１０  ＣＰＵ
１１  ＲＯＭ
１１ａ  制御プログラム
１２  ＲＡＭ
１３  モデム
１４  ＮＣＵ
１５  操作パネル
１５ａ  表示切替ボタン
１５ｂ  表示モード切替ボタン
１６  ディスプレイ
１７  スキャナ
１８  プリンタ
１９  ＬＡＮＩ／Ｆ
２０  開閉センサ
２１  用紙サイズセンサ
２２  コンタクトガラス表示部
２５  カバー
２７  コンタクトガラス
３０  制御部
５２  表示モード記憶部
５４  複写倍率データ記憶部
５６  倍率取得部
５８  用紙サイズ取得部
６０  開閉判断部
６１  領域表示制御部
６２  表示制御部
６４  領域算出部
【図１】
2008172337.tif 000003
【図２】
2008172337.tif 000004
【図３】
2008172337.tif 000005
【図４】
2008172337.tif 000006
【図５】
2008172337.tif 000007
【図６】
2008172337.tif 000008
【図７】
2008172337.tif 000009
【図８】
2008172337.tif 000010
【図９】
2008172337.tif 000011
【図１０】
2008172337.tif 000012
【図１１】
2008172337.tif 000013